(57)【特許請求の範囲】
【請求項１】
１つの筆記先端で異なる太さの描線を筆記可能なボールペンであって、
筆記ボールと、先端をかしめたカシメ部により前記筆記ボールを保持するホルダーと、ホルダーにインクを供給するインク供給部と、インク供給部を内部に収納する軸筒と、前記ホルダーの外周を覆うアウターとを備え、前記筆記ボールを保持したホルダー及び前記アウターの一部を前記軸筒の先端部より露出させてなり、
前記筆記ボールとアウター先端部が筆記部となることを特徴とするボールペン。
【請求項２】
１つの筆記先端で異なる太さの描線を筆記可能なボールペンであって、
筆記ボールと、先端をかしめたカシメ部により前記筆記ボールを保持するホルダーと、ホルダーにインクを供給するインク供給部と、インク供給部を内部に収納する軸筒と、前記軸筒と一体に成形され該軸筒の先端部を構成するとともに前記ホルダーの外周を覆うアウターとを備え、前記筆記ボールを保持したホルダーの一部を前記アウターの先端部より露出させてなり、
前記筆記ボールとアウター先端部が筆記部となることを特徴とするボールペン。
【請求項３】
前記アウターは、前記ホルダーのカシメ部に達するまでの部分を覆うことを特徴とする請求項１又は２記載のボールペン。
【請求項４】
前記インクは、前記筆記ボールと前記アウター先端部が同時に筆記面に接触した状態で、前記筆記ボールと筆記面の接触部と、前記アウター先端部と筆記面の接触部との間に拡散可能な粘度に形成されていることを特徴とする請求項３記載のボールペン。
【発明の詳細な説明】
【技術分野】
【０００１】
この発明は、描線の幅を変更可能なボールペンに関する。
【背景技術】
【０００２】
従来、１つの筆記軸で太さの異なる描線を筆記可能とするボールペンに関する技術としては、特許文献１に示すように、軸筒内の後端部に設けた加圧機構によってインクの流出量をコントロールし、描線の太さや濃度を変化させるようにしたものが知られている。
また、特許文献２に示すように、筆記軸の両端に異なるボール径のボールペンチップが取り付けられたボールペンにより、描線の太さや濃度を変化させるようにしたものも知られている。
【先行技術文献】
【特許文献】
【０００３】
【特許文献１】特開２００６−２８９８３３号公報
【特許文献２】実公平８−６５５１号公報
【発明の概要】
【発明が解決しようとする課題】
【０００４】
上記した特許文献１に記載された発明では、筆記具内に加圧機構を設けるので構造が複雑になり、筆記時における加圧機構の加圧力の調整が煩わしいことや余分なインクが流出する問題点があった。
また、特許文献２に記載された発明では、筆記軸を反転する必要がある煩わしさに加え、二種類だけのボールペンチップであるため、単純に太い線と細い線を描くことができるというのみで、太さの調整を行うことはできなかった。
そこで、本願発明は、簡易な構造で、筆記時に特別な操作をすることなく、１つの筆記先端で異なる太さの描線を筆記可能であり、さらに描線の太さを自在に変化可能なボールペンを提供することを目的とする。
【課題を解決するための手段】
【０００５】
上記課題を解決するために、本願発明は、以下のような構成を備える。
（第１の発明）
本願の第１の発明は、１つの筆記先端で異なる太さの描線が筆記可能なボールペンであって、筆記ボールと、先端をかしめたカシメ部により前記筆記ボールを保持するホルダーと、ホルダーにインクを供給するインク供給部と、インク供給部を内部に収納する軸筒と、前記ホルダーの外周を覆うアウターとを備え、前記筆記ボールを保持したホルダー及び前記アウターの一部を前記軸筒の先端部より露出させてなり、前記筆記ボールとアウター先端部が筆記部となることを特徴とする。
（第２の発明）
本願の第２の発明は、１つの筆記先端で異なる太さの描線を筆記可能なボールペンであって、筆記ボールと、先端をかしめたカシメ部により前記筆記ボールを保持するホルダーと、ホルダーにインクを供給するインク供給部と、インク供給部を内部に収納する軸筒と、前記軸筒と一体に成形され該軸筒の先端部を構成するとともに前記ホルダーの外周を覆うアウターとを備え、前記筆記ボールを保持したホルダーの一部を前記アウターの先端部より露出させてなるボールペンであり、前記筆記ボールとアウター先端部が筆記部となることを特徴とする。
【０００６】
前記軸筒は、内部にインクを直接収容可能であってもよいし、インクが充填されたリフィルを収容した構造であってもよい。前記インク供給部は、コレクター等の中間部材によって軸筒に収容されたインクをホルダーに供給するものであってもよいし、リフィル等の軸筒とは別体のインク収容管に収容されたインクをホルダーに供給するものであってもよい。
ホルダーは、先端側が軸筒の先端部（先軸部）から露出し、後端側は軸筒の内部に位置して前記インク供給部と連通している。ホルダーの先端内部にはボールハウスが形成され、このボールハウスに筆記ボールが抱持されている。ホルダーは、ステンレス鋼などの金属材料やポリアセタールなどの樹脂材料を切削加工や射出成形により形成することができる。
【０００７】
前記アウターは、少なくとも、ホルダーの軸筒からの露出部分を覆う筒状体であり、合成樹脂により形成するのが好ましい。ホルダーは、アウターに覆われることにより、カシメ部のみがアウターから露出したものとなる。また、アウター先端部は、アウターの先端部分をいい、筆記ボールとほぼ同時に筆記面に接触可能である。すなわち、アウター先端部はカシメ部よりも外側（外周側）に膨出しているとともに、カシメ部は、筆記ボールとアウター先端部の双方に接する接線と同一か先端側に突出しないようになっている。
本発明に係るボールペンは、軸筒を筆記面に対してほぼ垂直となるような状態（立てた状態）や筆記部が筆記面に潜り込まないように筆記した場合には、筆記ボールのみが筆記面と接触し、筆記ボールの周囲に付着したインクによって所定の幅の線を描くことができる。一方、軸筒を筆記面に対してある程度傾斜させた状態（寝かせた状態）や筆記部が筆記面に潜り込むようにして筆記した場合には、筆記ボールとアウター先端部が同時に筆記面と接触し、筆記ボールの周囲に付着しているインクや、筆記ボールの回転に伴いホルダーの内部から流出するインクが、筆記ボールと筆記面の接触部と、アウター先端部と筆記面の接触部との間に毛細管現象により拡散する。このため、軸筒を立てた状態や筆記部を筆記面に潜り込ませないで筆記する場合よりも、太い幅の線を描くことが可能となる。
【０００８】
本発明によれば、筆記時に軸筒の傾斜角度により筆記部の筆記面への接触状態を変えることで、太さの違う線を描くことができる。
（第３の発明）
本願の第３の発明は、上記した第１又は第２の発明の構成に加え、前記アウターは、前記ホルダーのカシメ部周辺に達するまでの部分を覆うことを特徴とする。
アウター先端部は、ホルダーのカシメ部に達するまでの部分、すなわちカシメ部よりも後方側の外周を覆うようになっている。
本発明によれば、筆記ボールとアウターを同時に筆記面に接触させたときに、筆記面と筆記ボールとアウターとにより囲まれた部分にインクが毛細管現象により拡散するので、太い描線をかすれさせることなく描くことができる。
【０００９】
（第４の発明）
本願の第４の発明は、上記した第３の発明の構成に加え、前記インクは、前記筆記ボールと前記アウター先端部が同時に筆記面に接触した状態で、前記筆記ボールと筆記面の接触部と、前記アウター先端部と筆記面の接触部との間に拡散可能な粘度に形成されていることを特徴とする。
本発明によれば、筆記ボールとアウター先端部を同時に筆記面に接触させたときに、筆記面と筆記ボールとアウター先端部とにより囲まれた部分にインクが毛細管現象により拡散するので、太い描線をかすれさせることなく描くことができる。
【発明の効果】
【００１０】
本願発明は、上述のように構成されているので、簡易な構造で、筆記時に特別な操作をすることなく、１つの筆記先端で顕著に異なる太さの描線を筆記可能なボールペンを提供することができる。また、筆記時に軸筒の傾斜角度を変えることで「トメ」「ハネ」「ハライ」を容易かつ高品位で筆記することができるので、筆跡の表現力も向上させることができる。
【図面の簡単な説明】
【００１１】
【図１】本発明の第１の実施の形態であって、ボールペンの（Ａ）正面図及び（Ｂ）縦断面図である。
【図２】第１の実施の形態のボールペンの先端部の縦断面図である。
【図３】第１の実施の形態のボールペンの筆記先端の縦断面図である。
【図４】第１の実施の形態の筆記時の状態を示す図であって、（Ａ）筆記面に対して軸をａ°傾斜させた状態、及び（Ｂ）筆記面に対して軸をｂ°傾斜させた状態の、ボールペンの先端部の縦断面図である。
【図５】図４（Ａ）の部分拡大図である。
【図６】図４（Ｂ）の部分拡大図である。
【図７】本発明の第２の実施の形態であって、ボールペンの（Ａ）正面図及び（Ｂ）縦断面図である。
【図８】第２の実施の形態のキャップを外した状態の（Ａ）正面図及び（Ｂ）縦断面図である。
【図９】第２の実施の形態のボールペンの先端部の縦断面図である。
【図１０】第２の実施の形態のボールペンの筆記先端の縦断面図である。
【図１１】第２の実施の形態の筆記時の状態を示す図であって、（Ａ）筆記面に対して軸をａ°傾斜させた状態、及び（Ｂ）筆記面に対して軸をｂ°傾斜させた状態の、ボールペンの先端部の縦断面図である。
【図１２】図１１（Ａ）の部分拡大図である。
【図１３】図１１（Ｂ）の部分拡大図である。
【図１４】本発明の第３の実施の形態であって、ボールペンの（Ａ）正面図及び（Ｂ）縦断面図である。
【図１５】第３の実施の形態のインクリフィルの（Ａ）正面図及び（Ｂ）縦断面図である。
【図１６】第３の実施の形態のインクリフィルの先端部の縦断面図である。
【図１７】本発明の第４の実施の形態であって、ボールペンの（Ａ）正面図及び（Ｂ）縦断面図である。
【図１８】第４の実施の形態のボールペンの先端部の縦断面図である。
【図１９】本発明の第５の実施の形態であって、ボールペンの（Ａ）正面図及び（Ｂ）縦断面図である。
【図２０】第５の実施の形態のボールペンの先端部の縦断面図である。
【図２１】本発明で筆記した文字と従来の筆記具で筆記した文字である。
【発明を実施するための形態】
【００１２】
以下、図面を参照しつつ、本発明の実施の形態を、第１の実施の形態から第５の実施の形態に分けて説明する。なお、本明細書において、ボールペン1及びその構成部品についての「前方」とは筆記ボール30をボールペン1の先端とした場合の先端側をいい、「後方」とはその反対側をいうものとする。
（第１の実施の形態）
本実施の第１の形態に係るボールペン1は、図１（Ａ）及び（Ｂ）に示すように、筆記ボール30及び先端をかしめたカシメ部23（図３参照）により前記筆記ボール30を保持するホルダー21を有するボールペンチップ20と、ボールペンチップ20のホルダー21にインクを供給するインク供給部40と、インク供給部40を内部に収納する軸筒10と、ホルダー21の外周を覆うアウター50とを備えている。
【００１３】
軸筒10は、図１（Ｂ）に示すように、インク収容部13を備えた軸本体11と、軸本体11の先端に設けられた先軸部12とからなり、軸本体11の先端側には、インク供給部40と、インク供給部40とボールペンチップ20とをつなぐ継ぎ手14とが内蔵されている。前記インク収容部13には、図示しないインクが充填されている。
インク供給部40は、複数のフィンが外周に形成された略筒状のコレクター41と、コレクター41の先端を縮径して形成された先端保持部42とを有し、コレクター41の後端部はインク収容部13と接し、先端保持部42は先軸部12の内側に嵌入されている。また、先端保持部42の内部には、継ぎ手14の後端部が嵌入されている。また、コレクター41には、ポリエステルファイバー製の棒状のコレクター芯43が、軸方向に貫通している。コレクター芯43の後端側はインク収容部13内に突出しており、コレクター芯43の先端側は先端保持部42よりも先端側に突出して、継ぎ手14の後端部から内部に挿入されている。
【００１４】
ボールペンチップ20は、図２に示すように、円筒形のホルダー21と、ホルダー21に保持される筆記ボール30とを備えている。ホルダー21の先端側には、先端に向かって先細となる略円錐状のテーパー部22が形成されているとともに、テーパー部22の小口を内方に押圧して縮径変形されたカシメ部23が形成されている。そして、テーパー部22の内側に形成されたボールハウス24（図３参照）に抱持される筆記ボール30の先端部が、カシメ部23の先端縁から露出するようになっている。ホルダー21はステンレス鋼などの金属製やポリアセタールなどの樹脂製のパイプ材を加工して形成することができる。また、ホルダー21の内部には、ホルダー21の後端部から突出する棒状の中芯25が挿入されている。中芯25はコレクター芯43と同様にポリエステルファイバーにより形成され、その後端はコレクター芯43の先端部に嵌め込まれるとともに、その先端は筆記ボール30の直後に達しており、コレクター芯43に浸透したインクを吸収してボールハウス24にインクを供給する。ボールペンチップ20は、図２に示すように、後端側からほぼ２／３程度が継ぎ手14の先端部に嵌入された状態で、継ぎ手14に保持される。
【００１５】
なお、コレクター芯43及び中芯25は、使用するインクの粘度等の性状に応じて、適切なポリエステルファイバーの気孔率や表面形状を選択して形成される。
アウター50は、略円錐形に形成された合成樹脂製の筒体であり、図２に示すように、先端に向かって先細となるテーパー部54が形成されているとともに、テーパー部54の先端部分は、Ｒ面取りが施されたアウター先端部51となっている。なお、アウター先端部51は、Ｒ面取りでなく、斜面状のテーパー面取りにしてもよい。また、後方側に形成された後方挿入孔52と、後方挿入孔52から先端側に連通する後方挿入孔52よりも小径の前方挿入孔53を有し、後方挿入孔52には継ぎ手14の先端部が挿入され、前方挿入孔53には、継ぎ手14から突出しているボールペンチップ20のホルダー21が挿入される。そして、アウター50は、前方挿入孔53にホルダー21が挿入され後方挿入孔52に継ぎ手14の先端部が挿入された状態で、継ぎ手14の先端部に固定され、先軸部12から露出している継ぎ手14及びホルダー21を覆うようになっている。
【００１６】
また、アウター50が継ぎ手14に固定されると、図３に示すように、アウター先端部51の最も先端側（前方挿入孔53の先端側縁部）が、ホルダー21のテーパー部22とカシメ部23の境界線をやや超えた箇所まで位置するようになっている。すなわち、アウター50は、ホルダー21のカシメ部23に達する部分までを覆うようになっている。これにより、図１、２に示すように、先軸部12の先端からは、アウター50の先端側約２／３と、ホルダー21のカシメ部23と、筆記ボール30の一部が露出することとなる。なお、アウターは継ぎ手14に固定されてもよいし、先軸部12と一体的に形成することもできる。
ここにおいて、アウター50のアウター先端部51は、図３に示すように、アウター先端部51と筆記ボール30との双方に接する接線Ｌよりも、カシメ部23が内側（筆記ボール30側）に位置するよう、カシメ部23の外側に膨出した形状に形成されている。換言すると、アウター先端部51は、カシメ部23が前記接線Ｌよりも前方に突出しないように形成されている。このように形成されていることから、筆記ボール30とアウター先端部51を同時に筆記面に当接させた場合に、筆記ボール30の表面に付着しているインクや筆記ボール30の回転に伴いボールハウス24から流出するインクが、筆記ボール30と筆記面の接触部と、アウター先端部51と筆記面の接触部との間の空間部に、毛細管現象により拡散して、筆記ボール30とアウター先端部51を同時に筆記面に当接させない場合よりも、太い線を描くことが可能となる。
【００１７】
本実施の形態においては、筆記ボール30とアウター先端部51が同時に筆記面に接触した状態で、筆記ボール30と筆記面の接触部と、アウター先端部51と筆記面の接触部との間に拡散可能な、比較的粘度の低いインクが用いられている。このようなインクを用いることにより、太い描線を描く場合でもかすれることがない。
上記構成を有するボールペン1の使用方法について、図４から図６までに基づき説明する。
図４（Ａ）に示すように、アウター50のテーパー部54の筆記面に対する角度がａ°となるようにボールペン1を傾斜させた場合には、図５に示すように、筆記ボール30のみを筆記面に接触させることができる。このような角度でボールペン1を傾斜させて筆記した場合には、筆記ボール30の表面に付着したインクによって、幅ｗ1の線を描くことができる。
【００１８】
一方、図４（Ｂ）に示すように、アウター50のテーパー部54の筆記面に対する角度が前記ａ°より小さいｂ°となるようにボールペン1を傾斜させた場合には、図６に示すように、筆記ボール30とアウター先端部51を同時に筆記面に接触させることができる。この状態では、筆記ボール30の表面に付着しているインクが毛細管現象により筆記面に拡散してアウター先端部51にも付着し、筆記ボール30と筆記面とアウター先端部51とカシメ部23により囲まれた空間部にインクが滞留する。そして、このような状態で筆記した場合には、筆記ボール30の回転に伴い前記した空間部にインクが流出し、筆記ボール30と筆記面の接触部とアウター先端部51と筆記面の接触部の間に拡散するインクによって、前記した幅ｗ1よりも大きい幅ｗ2の線を描くことができる。この場合において、筆記ボール30とカシメ部23との位置関係は保持されているため、筆記ボール30の回転に伴い流出するインク量を一定に保つことができ、インクがぼた漏れすることもない。また筆記面との接触部の変化は角度だけではなく、先端部の紙面への接触状態でも同様とすることができる。例えば複数の紙面を重ねた状態で、荷重を弱くして筆記すれば筆記ボールのみが筆記面に接触するので、幅ｗ1の線を書くことができ、荷重を強くして筆記すれば筆記ボールとアウター先端部が筆記面に同時に接触させることができるので、幅ｗ1より顕著に太い幅ｗ2の線を書くことができる。
【００１９】
以上のように、本実施の形態に係るボールペン1は、筆記する際の筆記面に対する角度や筆記部と紙面との接触状態を変えるだけで、顕著に描線の太さを変えることができ、「トメ」、「ハネ」、「ハライ」等徐々に描線を細くすることができる。すなわち、細い線を描く場合には、図４（Ａ）に示すように、軸筒10を垂直に近い状態（立てた状態）にし、太い線を描く場合には、図４（Ｂ）に示すように、細い線を描く場合よりも軸筒10を傾斜した状態（寝かせた状態）とすればよい。
なお、アウター50のアウター先端部51の形状（前方への突出寸法又は側方への張り出し寸法）を調節することにより、筆記ボール30のボール径が異なる場合であっても、筆記ボール30とアウター先端部51が同時に筆記面に接触したときの線幅を同じ寸法にすることができる。
【００２０】
（第２の実施の形態）
図７から図１３までは、本発明の第２の実施の形態を示す。なお、第２の実施の形態において、第１の実施の形態と同一の構成要素には、第１の実施の形態において用いた符号と同一の符号を用いている。以下、第３から第５までの実施の形態についても同様である。
第２の実施の形態に係るボールペン1は、図７（Ａ）及び（Ｂ）に示すように、筆記ボール30及び先端をかしめたカシメ部23（図９参照）により前記筆記ボール30を保持するホルダー21を有するボールペンチップ20と、ボールペンチップ20のホルダー21にインクを供給するインク供給部40と、インク供給部40を内部に収納する軸筒10と、ホルダー21の外周を覆うアウター50とを備え、またボールペンチップ20の先端部の保護のためキャップ60が装着されている。以下、第１の実施の形態と重複する部分は説明を省略し、本実施の形態の特徴点を説明する。
【００２１】
前記キャップ60は、図７（Ａ）に示すように、軸筒10の先端側略３分の１程度を覆っており、図７（Ｂ）に示すように、合成樹脂製の筒体61と、筒体61の先端側から嵌め込まれる蓋部材62から構成され、内部にペン先収納部63を備えている。キャップ60を軸筒10の先端に被せると、軸本体11の直径を縮径して形成された段部15（図８参照）に筒体61の後端部61Aが係止され、ペン先収納部63にボールペンチップ20の先端部が位置するようになっている。
本実施の形態においては、図９に示すように、中芯25は、コレクター芯43の先端面に形成された凹部43Aの凹底面と僅かながら離間している。また、継ぎ手14の、先端保持部42からの突出部分には、軸方向に沿った縦溝14Aが、断面放射状に形成されている。
【００２２】
さらに、本実施の形態におけるアウター50は、図９に示すように、直径を縮径して形成された段部56が、先軸部12の先端部とほぼ同じ位置かやや先端側に位置するように配置されている。また、図１０に示すように、アウター50のテーパー部54の先端部には、先端に向かって先細となる面取り部55が形成されており、この面取り部55の先端部分が、筆記ボール30と同時に筆記面に当接するＲ面取りが施されたアウター先端部51となっている。なお、アウター先端部51は、Ｒ面取りでなく、斜面状のテーパー面取りにしてもよい。
第２の実施の形態に係るボールペン1によっても、第１の実施の形態と同様の作用効果を得ることができる。すなわち、図１１（Ａ）に示すように、アウター50のテーパー部54の筆記面に対する角度がａ°となるようにボールペン1を傾斜させた場合には、図１２に示すように、筆記ボール30のみを筆記面に接触させ、幅ｗ1の線を描くことができる。また、図１１（Ｂ）に示すように、アウター50のテーパー部54の筆記面に対する角度が前記ａ°より小さいｂ°となるようにボールペン1を傾斜させた場合には、図１３に示すように、筆記ボール30とアウター先端部51を同時に筆記面に接触させ、前記した幅ｗ1よりも大きい幅ｗ2の線を描くことができる（図１１から図１３まで参照）。
【００２３】
（第３の実施の形態）
図１４から図１６までは、本発明の第３の実施の形態を示す。なお、第３の実施の形態において、第２の実施の形態と同一部品については同一の符号を用いている（第４及び第５の実施の形態において同じ）。以下、第１及び第２の実施の形態と重複する部分は説明を省略し、本実施の形態の特徴を説明する。
第３の実施の形態に係るボールペン1は、図１４（Ａ）及び（Ｂ）に示すように、ボールペンチップ20が固定されたインクリフィル70を、軸筒10に収納したものであり、ボールペンチップ20の先端部の保護のためキャップ60が装着されている。
【００２４】
本実施の形態におけるボールペンチップ20は、図１５（Ｂ）及び図１６に示すように、円筒形のホルダー21の先端部に縮径部21Aが形成され、この縮径部21Aの先端に、テーパー部22及びカシメ部23が設けられ、筆記ボール30が抱持されている。ホルダー21の内部は中空である。
キャップ60は、図１４（Ａ）に示すように、軸筒10の先端側の略４分の１程度を覆っており、図１４（Ｂ）に示すように、合成樹脂製の筒体61と、筒体61の先端側から嵌め込まれる蓋部材62から構成され、内部にペン先収納部63を備えている。キャップ60を軸筒10の先端に被せると、軸本体11の直径を縮径して形成された段差15に筒体61の後端部61Aが係止され、ペン先収納部63にボールペンチップ20の先端部が位置するようになっている。
【００２５】
インクリフィル70は、図１５（Ａ）及び（Ｂ）に示すように、インクが充填されたインク収容管71と、インク収容管71の先端に固定された継ぎ手72と、継ぎ手72に固定されたボールペンチップ20とからなる。インク収容管71は、図示しないインク及びインク漏出防止のためのインク追従体が充填されたポリプロピレン製の管である。継ぎ手72は、前後に貫通する開口部を有し、後方部分をインク収容管71の内部に圧入して装着される筒状部材である。インク収容管71から露出する継ぎ手72の前方部分の開口部にはボールペンチップ20が圧入され、インク収容管71のインクが後方部分の開口部からボールペンチップ20に供給される。インクリフィル70は、図１４（Ｂ）に示すように、インク収容管71が軸本体11の内部に収納され、継ぎ手71及び継ぎ手71から露出しているボールペンチップ20は先軸部12によって覆われる。
【００２６】
本実施の形態においては、アウター50は、図１６に示すように、ホルダー21の縮径部21Aを後方から挿入可能な挿入口57を有し、この挿入口57にホルダー21の縮径部21Aが挿入された状態で、ホルダー21の先端部に固定されホルダー21を覆うようになっている。そして、インクリフィル70を軸筒10に収納すると、図１４（Ｂ）に示すように、アウター50が先軸部12の先端から露出するようになっている。
第３の実施の形態に係るボールペン1によっても、第１の実施の形態と同様の作用効果を得ることができる。そして、本実施の形態においては、第１の実施の形態、第２の実施の形態と異なり、インクリフィル70のインクが無くなり、筆記できなくなったら、インクリフィル70を交換することで新たに筆記することができる。
【００２７】
（第４の実施の形態）
図１７及び図１８は、本発明の第４の実施の形態を示す。以下、第１から第３までの実施の形態と重複する部分は説明を省略し、本実施の形態の特徴を説明する。
第４の実施の形態に係るボールペン1は、図１７（Ａ）及び（Ｂ）に示すように、ボールペンチップ20が固定されたインクリフィル70を、軸筒10に収納したものである。なお、図示しないが、ボールペンチップ20の先端部の保護のためキャップを有していてもよい。
そして、本実施の形態においては、軸筒10の先端部には、先端に向かって先細に形成された略円錐形のアウター50が取り付けられている。アウター50の内部は後側から先端側に貫通する挿入孔57となっており、図１７（Ｂ）及び図１８に示すように、挿入孔57の後側の孔内周面にはネジ部57Aが形成されている。そして、このネジ部57Aを、軸本体11の先端側外周に形成されたネジ部11Aと螺合させることにより、アウター50が固定されるとともに、継ぎ手71及び継ぎ手71から露出するボールペンチップ20を覆うようになっている。すなわち、本実施の形態では、アウター50が先軸部を兼ねているものである。
【００２８】
第４の実施の形態によれば、上記した実施の形態と同様の作用効果を得られるとともに、部品点数を削減でき、製品の組み立て工程を簡易化することができる。
（第５の実施の形態）
図１９及び図２０は、本発明の第５の実施の形態を示す。本実施の形態は、第４の実施の形態の筆記ボール30よりも大径の筆記ボール30を有するボールペン1である。ボールペンチップ20の先端部の径が第４の実施の形態のものよりも大きいので、アウター50のテーパーが緩やかになっているとともに、アウター50の先端部に角度の異なるテーパー部が設けられている点以外は、第４の形態と同様である。
【００２９】
（他の筆記具との比較例）
図２１は、ボールペン、サインペン、万年筆と、本発明に係るボールペン1で筆記した筆跡である。本発明に係るボールペン1で筆記した筆跡は、ボールペン、サインペン、万年筆と比べ、画の終わりであるα「トメ」β「ハネ」γ「ハライ」を容易かつ高品位で筆記することができる。
このように、上記した第１から第５までの実施の形態においては、ボールペンチップ20とアウター50によって、１つの筆記先端で異なる太さの描線を筆記することができるとともに、筆跡の表現力も向上させることができる。
【産業上の利用可能性】
【００３０】
この発明は、ボールペンなどの筆記具に利用することができる。
【符号の説明】
【００３１】
１  ボールペン
10  軸筒                  11  軸本体                12  先軸部
13  インク収容部          14  継ぎ手                15  段差
20  ボールペンチップ      21  ホルダー              22  テーパー部
23  カシメ部              24  ボールハウス          25  中芯
30  筆記ボール
40  インク供給部          41  コレクター            42  先端保持部
43  コレクター芯          43A  凹部
50  アウター              51  アウター先端部        52  後方挿入孔
53  前方挿入孔            54  テーパー部            55  面取り部
56  段部                  57  挿入口
60  キャップ              61  筒体                  62  蓋部材
63  ペン先収納部
70  インクリフィル        71  インク収容管          72  継ぎ手
【図１】
0005940898.tif 000002
【図２】
0005940898.tif 000003
【図３】
0005940898.tif 000004
【図４】
0005940898.tif 000005
【図５】
0005940898.tif 000006
【図６】
0005940898.tif 000007
【図７】
0005940898.tif 000008
【図８】
0005940898.tif 000009
【図９】
0005940898.tif 000010
【図１０】
0005940898.tif 000011
【図１１】
0005940898.tif 000012
【図１２】
0005940898.tif 000013
【図１３】
0005940898.tif 000014
【図１４】
0005940898.tif 000015
【図１５】
0005940898.tif 000016
【図１６】
0005940898.tif 000017
【図１７】
0005940898.tif 000018
【図１８】
0005940898.tif 000019
【図１９】
0005940898.tif 000020
【図２０】
0005940898.tif 000021
【図２１】
0005940898.tif 000022